(57)【要約】【課題】原稿束から合成出力される合成ドキュメントに対してオリジナルのページ番号と新たなページ番号とが混在することなく、整列化されたページ番号を付与することである。【解決手段】スキャンエンジン２１１により読み取られるイメージ情報に対して画像処理を行う際に、ナンバリング制御部２１４が読み取られるイメージ情報中から前記原稿束に印刷されていたページ番号を消去し、該読み取られる複数の原稿束の各原稿ページのイメージ情報に対して、１つのドキュメントとして整列化されたページ情報をイメージ合成して、プリントエンジン２０９より印刷出力する構成を特徴とする。【選択図】　　　図２
2004135207.tif 000002
【特許請求の範囲】
【請求項１】
原稿束中の各原稿画像を読み取る読み取り手段を備え、前記読み取り手段により読み取られるイメージ情報に対して画像処理を行う画像処理装置であって、
前記読み取り手段により読み取られるイメージ情報中から前記原稿束に印刷されていたページ番号を消去する消去手段と、
前記読み取り手段により読み取られる複数の原稿束の各原稿ページのイメージ情報に対して、１つのドキュメントとして整列化されたページ情報をイメージ合成する合成手段と、
を有することを特徴とする画像処理装置。
【発明の詳細な説明】
【０００１】
【発明の属する技術分野】
本発明は、スキャナ機能，プリント機能，ファクシミリ機能等を備える複合機能処理を実行可能な画像処理装置の制御に関するものである。
【０００２】
【従来の技術】
従来、スキャナ部から読み取った画像データや、ホストコンピュータからネットワークを介して送られてきたＰＤＬデータをビットマップに展開した画像データを複写機内のハードディスクなどのメモリに一旦記憶し、そのメモリから任意の原稿の画像データを繰り返し読み出してプリントアウトする機能を備えたデジタル複写機が知られている。
【０００３】
また、これらデジタル複写機には、ステイプル、パンチ穴開け、折り、製本とじ等のフィニッシング機能を搭載したフィニッシャを接続することができ、それらフィニッシングの設定や両面等の画像の割り付けなどを画像の保存と同時にジョブ属性としてメモリに保存しておき、画像の入力とは非同期にこれらジョブ情報に基づきプリント出力するボックス機能を有するものもある。
【０００４】
このようなスキャナ機能，プリント機能，ファクシミリ機能等を備える複合機などのそれぞれの機能が高度になるにつれ、該スキャナ機能により読み込まれる複数のソースからなる複数のドキュメントを合成し１つのまとまったドキュメント冊子（合成冊子）を容易に作成できるように構成されている。
【０００５】
そして、その際、該プリント機能により合成されたドキュメント冊子に対し通し番号を重ねて印刷するナンバリング機能を備えたものも増えつつある。
【０００６】
一方、上記ボックス機能において、複数の文書を選択し、それら複数の文書を１つの文書としてフィニンシングの設定や両面等の画像の割り付けなどを設定してプリントするボックス結合プリント機能がある。
【０００７】
この機能により、複数の異なる文書を集めて１つの文書とすることができ、後から文書の順番等を変更することもできるため、より自由な出力を得ることが可能である。
【０００８】
デジタル複写機には、これらの機能の他に合紙機能とページ印刷機能を備えたものがある。
【０００９】
ここで、台紙機能とは、本文の間に色紙等の他の用紙を挟み込み、文書に区切りをつける意味でよく使用される機能である。
【００１０】
もちろん合紙は本文と同じ用紙で挿入することもでき、台紙に本文画像を印刷するごとも可能である。
【００１１】
また、ページ印刷機能とは、スキャンした画像やボックスの画像を出力するときにページ番号を自動的に印刷する機能であり、例えば「−１−，−２−，…」のようなページ番号を自動的にインクリメントしつつ、ページの好きな位置に印刷が可能である。
【００１２】
また、このページ印刷機能を章変更位置を指定したり、合紙と連動させることにより章の区切りをつけることにより、「１−１，１−２，…，２−１，２−２，…」のような章番号−ページ番号の組合せを自動的に印刷する章立てページ印刷という機能を備えるデジジタル複写機も知られている。
【００１３】
【発明が解決しようとする課題】
しかしながら、合成対象である個々のドキュメントには元々のページ番号が原稿のヘッダ部やフッタ部にいろいろの形式で印刷されている可能性が高いので、そこに新たな合成後のナンバリングによる番号を印刷すると、読み込み時に既に印刷されている元々のページ番号と新たなナンバリングが各ページに混在して印刷されることになる。
【００１４】
このように合成された冊子においては、元々のページ番号は既に不要な情報であり、後で付加したナンバリング情報が本質的となるべきものであるにもかかわらず、両者が共に混在してしまうことは、単に見栄え（体裁）が悪いのみにとどまらずドキュメント参照者に混乱を引き起こしてしまう問題点があった。
【００１５】
さらに、上記章立てページ印刷機能は、合紙との連動であるならば合紙の挿入位置をページ番号で指定しなければならず、また、同様に、章変更，位置指定の場合においても章変更，位置をページ番号で指定しなければならず、大量ページ文書時に指定場所を特定するのが難しいという問題があった。
【００１６】
本発明は、上記の問題点を解決するためになされたもので、本発明の目的は、読み取り手段により読み取られるイメージ情報に対して画像処理を行う画像処理装置において、読み取られるイメージ情報中から前記原稿束に印刷されていたページ番号を消去し、該読み取られる複数の原稿束の各原稿ページのイメージ情報に対して、１つのドキュメントとして整列化されたページ情報をイメージ合成することにより、原稿束から合成出力される合成ドキュメントに対してオリジナルのページ番号と新たなページ番号とが混在することなく、整列化されたページ番号を付与できるため、複数の原稿束から合成ドキュメントを作成する際に、合成ドキュメント中におけるページ番号の視認性を格段に向上できる画像処理装置を提供することである。
【００１７】
【課題を解決するための手段】
本発明は、原稿束中の各原稿画像を読み取る読み取り手段（例えば図２に示すスキャンエンジン２１１）を備え、前記読み取り手段により読み取られるイメージ情報に対して画像処理を行う画像処理装置であって、前記読み取り手段により読み取られるイメージ情報中から前記原稿束に印刷されていたページ番号を消去する消去手段（例えば図２に示すナンバリング制御部２１４，メインコントローラ２１３）と、前記読み取り手段により読み取られる複数の原稿束の各原稿ページのイメージ情報に対して、１つのドキュメントとして整列化されたページ情報をイメージ合成する合成手段（例えば図２に示すナンバリング制御部２１４）とを有することを特徴とする。
【００１８】
【発明の実施の形態】
図１は、本発明を適用可能な画像処理装置の一例を示す外観図である。
【００１９】
図１において、１は原稿フィーダで、スキャナ部２のプラテンガラス上に複数の原稿束から分離される原稿を一枚ずつ給送する。３はプリンタ部で、スキャナ部２により読み取られる原稿画像データ、あるいは図示しないＩ／Ｆを介して外部装置から受信されるプリントデータから生成される画像データを印刷処理する。４は給紙部で、定型サイズの記録紙をプリンタ部３に給送する。５はフィニッシャ機能付きのソータ部で、プリンタ部３で印刷された出力紙に所定の後処理（ステイプル，折り）等を施して排紙トレイあるいは排紙ビンに出力する。
【００２０】
〔第１実施形態〕
図２は、本発明の第１実施形態を示す画像処理装置の制御構成を説明するブロック図であり、図１に示した画像処理装置の制御構成に対応する。なお、本構成では、主なモジュールはデータやコントロール信号の送受信を媒介するシステムバス２０１によって互いに接続されている。これらの構成は実施形態の説明に用いた一例であり、請求項に記載の要件を満たす限りはいかなる構成を採った場合でも本発明は適用される。
【００２１】
図２において、操作部２０２は、機器が通常備える単数あるいは複数のキーと表示装置あるいはタッチパネルからなる部分であり、ユーザの機器に対する操作の入出力を行う部分である。
【００２２】
一次記憶装置２０３、二次記憶装置２０４は、それぞれシステムが印刷処理に使用したりシステムが使用するデータを一時的あるいは長期的に蓄積したりするために用いる半導体記憶装置、磁気記録装置等の装置である。
【００２３】
ネットワークアダプタ２０５は、ネットワークによって接続された外部の機器と情報の送受信を行う装置である。プロトコル解析部２０６は、ネットワークアダプタ２０５が受信したデータをサポートするプロトコルに応じて処理し、機器内で処理可能な形式に変換するためのものである。ただし、ネットワークアダプタ２０５及びプロトコル解析部２０６の働きは本発明の本質ではないので詳細な説明は省略する。
【００２４】
ＰＤＬ解釈部２０７は、印刷対象データ（ＰＤＬデータ）をイメージデータに変換する働きをし、ここで変換されたイメージデータはプリンタエンジンコントローラ２０８を介してプリントエンジン２０９に送られることによって物理的な印刷処理が行われる。これらの詳細な構成に関する説明も上記と同様の理由によって省略する。
【００２５】
スキャンエンジン２１１とスキャンエンジンコントローラ２１０は、紙原稿を光学的にスキャンし電子情報に変換するための装置である。これらの詳細な構成に関する説明も上記と同様の理由によって省略する。
【００２６】
課金管理部２１２は、ユーザの機器に対する利用状況や印刷処理等に要した消耗品等の量に応じ、正しく課金を行うための管理を担当するモジュールである。
【００２７】
ナンバリング制御部２１４は、ナンバリング情報の作成および合成、また画像データに含まれるページ情報の検出および消去等を行うためのものである。
【００２８】
メインコントローラ２１３は、一次記憶装置２０３、二次記憶装置２０４に記憶される各種モジュールに基づき、ＭＦＰシステム全体の制御を司り、本発明の機能を実現するためのステップを実行するためのものである。
【００２９】
図３は、図２に示した操作部２０２に表示される第１のナンバリング設定画面の一例を示す図であり、複数のボタンがタッチパネル上に表示され、ユーザが設定希望のボタンを押下することにより選択することが可能である。
【００３０】
図３において、ユーザがナンバリング機能を選択すると、本画面を操作部２０２に出力する。ここでは、まずナンバリング情報を印刷面のどの位置に配置するかを設定する。
【００３１】
本実施形態においては、用紙の上３０２、下３０５、左上３０１、右上３０３、左下３０４、右下３０６の６カ所から選択可能であり、各ボタンを押下することにより選択される。
【００３２】
また、本実施形態においては、左上３０１がデフォルトで選択されている。ナンバリングの位置を指定したら「次へ」ボタン３０９を押下することにより次の設定画面に進む。ここで「戻る」ボタン３０７若しくは「取消」ボタン３０８を押下した場合にはナンバリング設定は中止される。
【００３３】
図４は、図２に示した操作部２０２に表示される第２のナンバリング設定画面の一例を示す図であり、図３において、「次へ」ボタン３０９を押した場合に操作部２０２に表示されるナンバリング設定画面の一例を示すためのものである。
【００３４】
図４において、ナンバリング情報を印刷する際にもともとの画像データに含まれているページ番号を消去するかそのまま残すかをボタン４０１および４０２によって選択する。
【００３５】
ここで、「消去する」を選択した場合には、さらにページ番号が紙面上に相当する位置のどの部分に存在するかを指定する。自動指定４０９を選択した場合にはナンバリング制御部２１４によって画像データからページ番号に相当する部分を検出させる。
【００３６】
この検出のための方法は様々なものが考えられるが、本実施形態のナンバリング制御部２１４において、ページ番号はほとんどの場合画像領域の上下端に存在するということを利用し、画像データを上下端からスキャンして得られる画素ヒストグラムの分布からページ番号領域を割り出している。
【００３７】
この検出アルゴリズムは本発明の本質ではないため、詳細な説明は省略するが、請求項に記載の要件が満たされる限り検出アルゴリズムにいかなるものを用いたとしても本発明は有効であることは言うまでもない。
【００３８】
また、自動指定４０９を選択しない場合にはユーザに位置を直接指定させる。ここでは左上４０３、上４０４、右上４０５、左下４０６、下４０７、右下４０８のなかからユーザが指定する。
【００３９】
各ボタンが押下された際に具体的に紙面上のどのエリアにページ番号が存在するとみなすかはシステムに予め登録された画像領域を対応させる。自動設定４０９を選択した場合には左上４０３、上４０４、右上４０５、左下４０６、下４０７、右下４０８を指定しても無視される。
【００４０】
ＯＫボタン４１２の押下によって、ナンバリング設定画面は終了し実際のナンバリング処理に移る。取消ボタン４１１を押下するとナンバリング設定画面を中断し設定前の状態に戻る。この場合はナンバリング処理は行われない。戻るボタン４１０を押下した場合は、図３に示した設定画面に戻る。
【００４１】
図５は、本発明に係る画像処理装置における第１のナンバリング処理状態を説明する模式図であり、複数のページを含む画像データのうちの連続するある３ページ分の画像データを示したものである。この例では各画像データの下端中央付近にページ番号が存在している。
【００４２】
図６は、本発明に係る画像処理装置における第２のナンバリング処理状態を説明する模式図であり、ナンバリング処理時の設置値は図３に示したナンバリング位置指定で左上３０１、図４に示したページ番号を「消去しない」４０２を選択した場合の例を示している。
【００４３】
図６に示すように、本例はページの左上の領域にナンバリング情報が印刷され、かつ元画像データが持つページ番号も下端中央に存続していることが分かる。
【００４４】
図７は、本発明に係る画像処理装置における第３のナンバリング処理状態を説明する模式図であり、ナンバリング処理設定値は図３に示したナンバリング位置指定で左上３０１、図４に示したページ番号を「消去する」４０１、位置指定「自動指定」４０９を選択した場合の例を示している。
【００４５】
図７に示すように、本例は画像データ中のページ番号が存在していた下端中央のページ番号が消去され、左上にナンバリング情報が印刷されていることが分かる。
【００４６】
図８は、本発明に係る画像処理装置における第４のナンバリング処理状態を説明する模式図であり、ナンバリング処理設定値は図３に示したナンバリング位置指定で下３０５、図４に示したページ番号を「消去する」４０１、位置指定「自動指定」４０９を選択した場合の例を示している。
【００４７】
図８に示すように、本例は元々ページ番号が存在していた位置のページ番号が消去され、同じ位置にナンバリング情報が印刷されていることが分かる。
【００４８】
図９は、本発明に係る画像処理装置における第１のデータ処理手順の一例を示すフローチャートであり、メインコントローラ２１３において行われる制御のうち、ナンバリング制御手順に対応する。なお、Ｓ９０１〜Ｓ９１０は各ステップを示す。
【００４９】
まず、操作部２０２よりユーザからの処理要求を受け付け待ちし（ステップＳ９０１）、操作部２０２よりユーザから処理要求があったら、ステップＳ９０２に進み、要求内容がナンバリング制御かどうかを判別し、ナンバリング制御以外の要求であった場合には、その他の処理を実行し（Ｓ９０３）、再びステップＳ９０１に示す処理要求待ち状態に戻る。
【００５０】
一方、ステップＳ９０２において、ユーザからの要求がナンバリング制御であると判明した場合には、ステップＳ９０４に進み操作部２０２上に図３または図４に示す設定画面を表示して、ユーザによるナンバリング設定を促す。
【００５１】
そして、ユーザの設定中に取消ボタン４１１あるいは取消ボタン３０８が押されているかを判別し（ステップＳ９０５）、いずれかの取消ボタンが押されていたら何も処理をせずに、再びステップＳ９０１に示す処理要求待ち状態に戻る。
【００５２】
一方、ステップＳ９０５で取消ボタンでないと判断した場合は、ステップＳ９０６に進み、ＯＫボタン４１２が押されたかどうかを判別して、ＯＫボタン４１２でもない場合には、まだ設定中であることを意味するので再びステップＳ９０４に戻る。
【００５３】
一方、ステップＳ９０６で、ＯＫボタン４１２が押下されたと判別された場合には、ユーザによる設定処理は完了したことになるので、ステップＳ９０７に進む。
【００５４】
そして、ステップＳ９０７から実際のナンバリング処理に移り、ユーザが設定でナンバリング時に元の画像データに含まれているページ番号消去を設定しているかどうかを判別して、設定されていると判別した場合は、ステップＳ９０８に進み、ナンバリング制御部２１４に対し一時記憶装置２０３若しくは二次記憶装置２０４内に蓄積されている画像データ中のページ番号部分の画像データを前述した方法により画像消去処理し、ステップＳ９０９に進む。
【００５５】
なお、ステップＳ９０７で、ページ番号消去が設定されていないと判別した場合は、ステップＳ９０８を飛ばしてステップＳ９０９に進む。
【００５６】
そして、ステップＳ９０９ではユーザの設定に基づきナンバリング制御部２１４に対し一時記憶装置２０３若しくは二次記憶装置２０４内に蓄積されている画像データにナンバリング情報を付加する処理（ページ情報描画処理）を行う。
【００５７】
次に、ステップＳ９１０に進み、画像データ中の全ページに対し前記の処理が完了したかどうかを判別し、まだ未処理のページが残っていると判別した場合には、ステップＳ９０７に戻り残りのページを処理する。
【００５８】
一方、ステップＳ９１０で、全てのページについて処理が完了したと判別した場合にはナンバリング処理は終了し、ステップＳ９０１に示す処理要求待ちに戻る。
【００５９】
これにより、ボックス機能を有するデジタル複写機において、複数の文書を結合してプリント出力する結合プリントと章立てページ印刷機能を組み合わせることにより、プリント時に文書単位で章番号を自動的にインクリメントすることで、章立てページ印刷機能の章変更位置を簡潔に指定することができるデジタル複写機を提供することができる。
【００６０】
〔第２実施形態〕
上記第１実施形態では、複数の原稿束を合成して１つのドキュメントを作成する際に、原稿にオリジナルとして印刷されているページ番号を消去して整列化されたページ番号を合成ドキュメントに自動的に付与する場合について説明したが、ユーザが登録された原稿画像データファイル（ジョブ）を任意順に複数指定して、結合される印刷時に整列化されたページ番号を自動的に付与できるように制御したり、各原稿束を章として、章別のページ番号を自動的に付与できるように制御したりする構成としてもよい。以下、その実施形態について説明する。
【００６１】
図１０は、本発明の第２実施形態を示す画像処理装置の一例を示す断面図であり、特に、図１に示した画像処理装置の構成例に対応する。
【００６２】
図１０において、原稿給送装置１２０１は原稿を先頭順に１枚ずつプラテンガラス１２０２上へ給送し、原稿の読み取り動作終了後、プラテンガラス１２０２上の原稿を排出するものである。原稿がプラテンガラス１２０２上に搬送されると、ランプ１２０３が点灯し、そしてスキャナユニット１２０４の移動を開始させて、原稿を露光走査する。この時の原稿からの反射光は、ミラー１２０５，１２０６，１２０７、及びレンズ１２０８によってＣＣＤイメージセンサ（以下ＣＣＤという）１２０９へ導かれる。このように、走査された原稿の画像はＣＣＤ１２０９によって読み取られる。
【００６３】
レーザドライバ１２２１はレーザ発光部１２１０を駆動するものであり、出力画像データに応じたレーザ光をレーザ発光部１２１０に発光させる。このレーザ光は感光ドラム１２１１に照射され、感光ドラム１２１１にはレーザ光に応じた潜像が形成される。この感光ドラム１２１１の潜像の部分には現像器１２１２によって現像剤が付着される。
【００６４】
カラー機の場合は、イエロー、マゼンタ、シアン、ブラックの４色分現像器が装着される。そして、レーザ光の照射開始と同期したタイミングで、カセット１２１３及びカセット１２１４，手差し給紙段１２２７のいずれかから記録紙を給紙して転写部１２１５へ搬送し、感光ドラム１２１１に付着された現像剤を記録紙に転写する。
【００６５】
そして、現像剤の乗った記録紙は定着部１２１６に搬送され、定着部１２１６の熱と圧力により現像剤は記録紙に定着される。定着部１２１６を通過した記録紙は排出ローラ１２１７によって排出され、また、両面記録が設定されている場合は、排出コーラ１２１７のところまで記録紙を搬送した後、排出ローラ１２１７の回転方向を逆転させ、フラッパ１２１８によって再給紙搬送路１２１９へ導く。再給紙搬送路１２１９へ導かれたた記録紙は上述したタイミングで転写部１２１５へ再給紙される。
【００６６】
一方、サドルスティッチャー１２２５が本体に装備されている場合には、Ｚ折りユニットへ記録紙が搬送され、操作部からの操作に応じてＺ折りが行われるフィニッシャ１２２０が装備されている場合、排出された記録紙を束ねて記録紙の仕分けをしたり、ユーザからの指定に応じてパンチャ１２２３で記録紙のパンチが、ステイプラ１２２４でステイプルがそれぞれ行われる。
【００６７】
また、サドルスティッチャー１２２５を使用すると記録紙の中央部をステッチし、その中央部を折ることにより記録紙が製本される。インサータ１２２２では、予め印刷された記録紙を、表紙や合紙として給紙することが可能となり、プリンタ部の記録紙経路を通することがないため用紙を傷めず搬送することができる。サドルスティッチャー１２２５を使用しないジョブは、排紙口１２３１を通り、可動トレイ（排紙ビン）１２２８，１２２９のどちらかに排出される。
【００６８】
これらの可動トレイ１２２８と１２２９は両方共上下に動作することができ、可動トレイ１２２８に出力する場合には可動トレイ１２２８が排紙口１２３１の位置まで降りる。サドルスティッチャー１２２５を使用するジョブは、排紙口１２３２を通り、製本トレイ１２３０に排出される。
【００６９】
図１１は、図１０に示した画像処理装置のシステム構成を説明するブロック図である。
【００７０】
図１１において、１１０１はデジタル複写機本体（画像処理装置）であり、操作部１１０２、リーダ部１１０３、プリンタ部１１０４から構成される。操作部１１０２は、デジタル複写機本体１１０１及び画像入出力制御部１１０５を操作するために使用する。リーダ部１１０３は原稿の画像を読み取り、原稿画像に応じた画像データをプリンタ部１１０４及び画像入出力制御部１１０５へ出力する。プリンタ部１１０４はリーダ部１１０３及び画像入出力制御部１１０５からの画像データに応じた画像を記録紙上に記録する。
【００７１】
画像入出力制御部１１０５は、リーダ部１１０３に接続されており、コンピュータインタフェース部１１０６、画像メモリ１１０７、制御部１１０８、バックアップＲＡＭ１１１０から構成される。
【００７２】
コンピュータインタフェース部１１０６は、パーソナルコンピュータ又はワークステーション（ＰＣ／ＷＳ）によって構成されるプリントサーバ１１０９と制御部１１０８の間のインタフェースであり、プリントサーバ１１０９から転送された画像を表すコードデータ（ＰＤＬ）をプリンタ部１１０４で記録できる画像データに展開して制御部１１０８に渡す。
【００７３】
制御部１１０８については後述するが、制御部１１０８は、リーダ部１１０３、コンピュータインタフェース部１１０６、画像メモリ１１０７のそれぞれの間のデータの流れを制御するものである。
【００７４】
バックアップＲＡＭ１１１０は、電源を落としても消去されないメモリであり、デジタル複写機本体１１０１及び画像入出力制御部１１０５においてバックアップしておかなければならないデータを保存しておくものである。
【００７５】
図１２は、図１１に示したデジタル複写機本体１１０１の操作部１１０２のキー配列例を示す平面図である。
【００７６】
図１２において、１３０１は電源スイッチであり、本体への通電を制御する。１３０２は予熱キーであり、予熱モードのＯＮ／ＯＦＦに使用する。１３０３はコピーＡモードキーであり、複数の機能の中からコピーＡモードを選択するときに使用する。１３０４はコピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために分けている。
【００７７】
１３０５はメールボックスキーであり、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。
【００７８】
１３０６は拡張キーであり、ＰＤＬに対する操作を行うときに使用する。各キー１３０３〜１３０６は後述するＬＣＤタッチパネル１３１６の各々の機能画面を呼び出すときにも使用され、ＬＣＤタッチパネル１３１６の表示により各々のジョブの状況を見ることができる。
【００７９】
１３０７はコピースタートキーであり、コピーの開始を指示するときに用いるキーである。１３０８はストップキーであり、コピーを中断したり、中止したりするときに用いるキーである。
【００８０】
１３０９はリセットキーで、スタンバイ中は標準モードに復帰させるキーとして動作する。１３１０はガイドキーであり、各機能を知りたいときに使用するキーである。１３１１はユーザモードキーであり、ユーザがシステムの基本設定を変更するときに使用する。
【００８１】
１３１２は割り込みキーであり、コピー中に割り込みしてコピーしたいときに使用する。１３１３はテンキーであり、数値の入力を行うときに使用する。１３１４はクリアキーであり、数値をクリアするときに用いる。１３１５はＩＤキーであり、複写機を使用する場合にＩＤの入力モードに移行するときに使用する。
【００８２】
１３１６は液晶画面とタッチセンサの組合せからなるＬＣＤタッチパネルであり、各モード毎に個別の設定画面が表示され、さらに、描画されたキーに触れることで、各種の詳細な設定を行うことが可能である。また、各々のジョブの動作状況表示なども行う。１３１７はネットワークの通信状態を示すタリーランプであり、通常緑色で、通信しているときは緑色で点滅し、ネットワークエラーの場合には赤色になる。
【００８３】
図１３は、図１２に示したＬＣＤタッチパネル１３１６のコピー標準画面を示した図であり、本実施形態の画像処理装置は、電源投入時にデフォルトとしてコピー標準画像で起動するようになっている。
【００８４】
図１３において、１４０１はメッセージラインであり、コピージョブの状態をメッセージで表示する。１４０２は倍率表示であり、設定された倍率やコピーモードによって自動的に決められる倍率をパーセントで表示する。１４０３は用紙サイズ表示であり、選択された出力用紙を表示し、自動用紙選択が設定されている場合にはオート用紙というメッセージを表示する。
【００８５】
１４０４は置数表示であり、何枚コピーするかを示す。１４０５は縮小キーであり、縮小コピーを行いたい場合に使用する。１４０６は等倍キーであり、縮小や拡大が設定されている場合に等倍に戻したいときに使用する。１４０７は拡大キーであり、拡大コピーを行いたい場合に使用する。
【００８６】
１４０８はズームキーであり、細かい単位で倍率を設定して縮小コピーや拡大コピーを行いたい場合に使用する。１４０９は用紙選択キーであり、出力用紙を指定する場合に使用する。１４１０はソータキーであり、ソートやステイプルのモードを設定する場合に使用する。
【００８７】
１４１１は両面キーであり、両面モードを設定する場合に使用する。１４１２は濃度表示で、現在の濃度が分かるようになっており、左側は濃度が薄く、右側は濃度が濃いことを示す。
【００８８】
また、濃度表示１４１２は、うすくキー１４１３、こくキー１４１５と連動して表示が変化するようになっている。１４１３はうすくキーであり、濃度を薄くしたい場合に使用する。１４１４は自動キーであり、自動的に濃度を決定するモードを使用する場合に使用する。１４１５はこくキーであり、濃度を濃くしたい場合に使用する。
【００８９】
１４１６は文字キーであり、文字原稿をコピーするのに適した濃度に自動的に設定する文字モードを設定する場合に使用する。１４１７は文字／写真キーであり、写真が混在した原稿をコピーするのに通した濃度に自動的に設定する文字／写真モードを設定する場合に使用する。
【００９０】
１４１８は応用モードキーであり、コピー標準測面で設定できない様々なコピーモードを設定する場合に使用する。１４１９はプリント履歴キーであり、現在この画像処理装置１１０１で行われているプリントの状況を見たい場合に使用する。プリント状祝キー１４１９は、コピー標準画面だけではなく、常にこの位置に現れており、いつでもこのキーを押すことによりプリント状況を見ることができるようになっている。
【００９１】
図１４は、図１１に示した画像メモリ１１０７の論理的な使用方法を説明する図である。
【００９２】
図１４に示す本実施形態では、使用用途に応じてハードディスク等の画像メモリの記憶領域をテンポラリ領域１５０１とボックス全体領域１５０２に論理的に分ける。テンポラリ領域１５０１は、画像データの出力順序を変えたり、複数部出力においても一回のスキャンで出力ができるようにするために、ＰＤＬの展開データやスキャナからの画像データを一時的に記憶する記憶領域である。
【００９３】
ボックス全体領域１５０２は、ボックス機能を使用するための記憶領域であり、１５０３〜１５０７のように登録された数の小さな記憶領域に分割されている。ボックス領域１５０３〜１５０７は、各ユーザや会社などの部署毎に割り当てられ、各ボックスにはボックス名とパスワードを付けることができる。ユーザはボックスを指定することでＰＤＬジョブやスキャンジョブを各ボックスに入力することができ、パスワードを入力することで実際にボックスの中を見たり、設定変更やプリント出力を行う。
【００９４】
図１５は、本発明に係る画像処理装置における第２のデータ処理手順の一例を示すフローチャートであり、ボックスへのジョブ登録手順に対応し、ボックスへの登録は、図１１に示すホストコンピュータ１１０９からのＰＤＬ画像登録処理（図１５の（ａ））と、図１５の（ｂ）に示すスキャナからのスキャン画像の登録処理とがある。なお、Ｓ６０１〜Ｓ６０９は各ステップを示す。
【００９５】
図１５の（ａ）に示すようにＰＤＬ画像を登録する場合、ステップＳ６０１では、ホストコンピュータ１１０９上でユーザがプリント設定を行い、ステップＳ６０２に進む。なお、ここで、プリント設定内容とは、部数、用紙サイズ、拡大縮小率、片面／両面、ページ出力順序、ソート出力、ステイプル止めの有無等が含まれる。
【００９６】
そして、ステップＳ６０２では、ホストコンピュータ１１０９上でボックス番号を設定することで、画像メモリ１１０７のボックス全体領域１５０２内の領域が摘定され、ステップＳ６０３に進む。例えば、ボックス番号ＢＯＸＮｏがＢＯＸ１と指定されると、ボックス全体領域１５０２内のボックス領域１５０３が指定されることなる。
【００９７】
次に、ステップＳ６０３では、ホストコンピュータ１１０９上で印刷指示を与え、それと共にホストコンピュータ１１０９上にインストールされているドライバソフトウエアが印刷対象となるコードデータをいわゆるＰＤＬデータに変換して、ステップＳ６０１で設定したプリント設定パラメータとともに、本画像入出力装置の制御部１１０８にＰＤＬデータを転送し、ステップＳ６０４に進む。
【００９８】
そして、ステップＳ６０４では、転送されたＰＤＬデータを画像データに展開（ラスタライズ）し、該画像データの展開が完了すると、ステップＳ６０５に進む。
【００９９】
そして、ステップＳ６０５では、展開された画像データが画像メモリ１１０７のボックス全体領域１５０２に順次記録され、例えばボックス番号ＢＯＸＮｏがＢＯＸ１のときは、ボックス領域１５０３内に記憶され、処理を終了する。
【０１００】
なお、ステップＳ６０１で設定したプリント設定パラメータもボックス領域１５０３に記録される。ボックス番号ＢＯＸＮｏがＢＯＸ２，ＢＯＸ３のときはそれぞれボックス領域１５０４、１５０５に記憶される。
【０１０１】
また、図１５の（ｂ）に示すようにスキャン画像を登録する場合は、まず、ステップＳ６０６で画像を入力するボックス番号ＢＯＸＮｏを指定し、ステップＳ６０７に進む。
【０１０２】
そして、ステップＳ６０７では、画像処理等のスキャン設定を指定し、ステップＳ６０８に進むみ、スキャン、スタートの指示を出すことで、リーダ部１１０３で原稿を読み取り、ステップＳ６０９に進み、ステップＳ６０８で読み取った画像をステップＳ６０６で指定したボックス領域に格納して、処理を終了する。
【０１０３】
図１６〜図１８は、図１３に示したＬＣＤタッチパネル１３１６に表示される操作画面例を示す図であり、例えば操作部１１０２のボックスキー１３０５を押下した場合のＬＣＤタッチパネル１３１６の表示例に対応する。
【０１０４】
図１６に示すボックス選択画面において、１７０１はボックス番号（ボックスＢＯＸＮｏ）、ボックス名、画像メモリ１１０７のボックス全体領域１５０２に対してそのボックスがどれだけ容量をとっているかの情報も表示する。１７０２，１７０３はスクロールキーであり、ボックス番号１７０１の表示を越える数のボックスが登録されているときに、画面をスクロールする場合に使用する。
【０１０５】
ここで、ボックス番号１７０１のいずれかのボックスＢＯＸＮｏを押下すると、画面表示状態が図１６に示す操作画面から図１７に示すパスワード入力画面に遷移する。
【０１０６】
図１７に示すボックスパスワード入力画面において、各ボックスに設定されているパスワードを入力することで、操作画面表示が図１８に示すボックス内画面に遷移し、各ボックスにアクセスできるようになる。
【０１０７】
図１７に示す操作画面において、パスワードが違う場合には、図示していない警告画面に遷移し、ボックスにはアクセスできない。１８０１は取消キーであり、該取消キー１８０１を押下することで、操作画面表示が図１６に示す画面に戻る。１８０２はＯＫキーであり、このキー１８０２を押下することで、入力したパスワードの確定となり、パスワードの検証が制御部１１０８により行われる。
【０１０８】
図１８に示すボックス内画面において、１９０１はボックス内の文書リストであり、各文書の登録日時、ファイル名がリスト表示される。文書を選択するにはファイル名を押下し、現在選択されている文書は反転表示される。これはトグル動作になっており、一度選択したファイル名をもう一度押下すると、選択が解除される。
【０１０９】
１９０２は選択された文書の選択順序を示す表示であり、図１８に示す例の場合には、ファイル名５，ファイル名１，ファイル名４の順に選択されている。この選択順はそのままプリント順序、結合保存順序、消去順序となる。
【０１１０】
１９０３はスキャンキーであり、現在開いているボックスにスキャナ（リーダ部１１０３）から画像を入力する場合に使用し、図示していないスキャンの設定画面に遷移する。
【０１１１】
１９０４はプリントキーであり、文書リスト１９０１で選択している文書をプリントする場合に押下し、このキー１９０１を押下すると、画面表示状態が図１９に示す画面に遷移する。
【０１１２】
図１８において、１９０５は結合保存キーであり、複数文書を１文書にまとめて格納しなおしたい場合に使用する。１９０６は消去キーであり、文書リスト１９０１で選択している文書を消去する場合に使用する。
【０１１３】
１９０７は全選択キーであり、文書リスト１９０１に表示されている文書を全部選択する場合に使用する。このキー１９０７により全選択した場合には、選択順序は文書リスト１９０１の表示順となる。
【０１１４】
１９０８，１９０９はスクロールキーであり、文書リスト１９０１の表示を超える数の文書が登録されているときに、画面をスクロールする場合に使用する。１９１０は閉じるキーであり、図１８に示す画面表示から図１７に示す画面表示に戻るときに使用する。
【０１１５】
図１９は、本発明に係る画像処理装置における文書結合プリント結果状態を示す図であり、例えば文書（後述する管理テーブルＴＡ〜ＴＣで管理される）結合プリント時の章立てページ印刷の出力結果を示した例である。
【０１１６】
図１９において、２１０１はあるボックス領域（図１４参照）に格納されている文書構造を示している。文書ＴＡＡ〜ＴＡＣはそれぞれ文書の管理テーブルを示し、その管理テーブルＴＡＡ〜ＴＡＣの情報には部数、ステイプル等のフィニッシング情報、その文書にぶら下がっているページ数等、文書全体に関わるプリント属性が格納されている。
【０１１７】
また、ページＡ−ｌ〜Ａ−ｎ、Ｂ−１〜Ｂ−ｎ、Ｃ−１〜Ｃ−ｎはそれぞれの文書のページの管理テーブルを示し、各ページの解像度、画素数等のページに関わるプリント属性や、実際画像のファイルＩＤ等が格納されている。
【０１１８】
また、各ページがプリント時に表裏どちらに印刷するかの両面情報や、用紙サイズとどの給紙段から給紙するかの給紙段情報等の属性も格納されている。
【０１１９】
図１９に示す例では、３文書の結合プリントを例に挙げており、文書Ａ、文書Ｂ、文書Ｃが結合プリントされる文書であり、図１８に示した画面で文書Ａ、文書Ｂ、文書Ｃの順に選択されたこととする。
【０１２０】
２１０２は、結合プリントの出力ページ順を示しており、文書ＡのページＡ−１〜Ａ−ｎ、文書ＢのページＢ−１〜Ｂ−ｎ、文書ＣのページＣ−１〜Ｃ−ｎの順にプリント出力されることを示している。２１０３は、章立てぺージ印刷結果であり、Ａ−１からＣ−ｎまでの各々のページにどのような番号が印刷されるかを示している。本実施形態においては、「章番号−ページ番号」という印刷を行うこととしており、結合プリント前の文書毎に自動的に章番号をインクリメントすることとしている。図１９の例では、結合プリント前の文書毎に章番号をインクリメントするため、文書Ａのページの章番号は１、文書Ｂは２，文書Ｃは３となる。また、各章内でページ番号は１〜ｎまでシーケンシャルに番号が振られる。
【０１２１】
図２０〜図２３は、図１３に示したＬＣＤタッチパネルに表示される操作画面例を示す図であり、プリント設定画面例に対応する。なお、本画面は、図１８に示したプリントキー１９０４を押下するとこの画面に遷移する。
【０１２２】
図２０において、２２０１は文書選択数であり、プリントする文書がいくつ選択されているかを表示している。２２０２はプリントする部数を表示しており、この画面を表示した時点ではデフォルトの１部を表示している。
【０１２３】
また、ユーザはプリント部数を自由に設定することができる。２２０３は選択文書に部数が異なる文書が１つでもある場合に表示される警告表示である。警告だけで、実際には、図２１で説明する文書結合しない場合は、デフォルト部数、文書結合する場合は部数２２０２に表示している部数でプリントされる。２２０４はプリント設定変更キーであり、このキーを押下することにより、図２１に示す表示画面に遷移し、部数のみならずさらに詳細なプリント設定を行うことができる。
【０１２４】
２２０５はプリント後に元文書を消去するかどうかの設定を行うキーである。このキー２２０５はキーが押下される度にトグル表示され、設定のＯＦＦ／ＯＮを交互に行うことができる。２２０６は部数変更キーであり、このキー２２０６を押下することで、図示していないソフトテンキー画面に表示が遷移し、部数２２０２に表示されているプリント部数を変更することができる。
【０１２５】
２２０７はキャンセルキーであり、この画面から抜けるときに使用する。２２０８はプリント開始キーであり、このキー２２０８を押下することでプリントを開始する。この場合、図１８に示す画面で選択されている複数の文書を結合せずに、元のプリント設定のまま、部数２２０２に表示されている部数プリントすることとなる。
【０１２６】
図２１に示すプリント設定変更画面は、図２０に示したプリント設定変更キー２２０４を押下するとこの画面に遷移する。
【０１２７】
図２１において、２３０１はプリント文書の給紙段と用紙サイズを表示している。用紙サイズが混在している場合は混在していることを表示する。用紙サイズ表示上の自動用紙は、ユーザが明示的に指定した給紙段ではなく、元文書の用紙サイズを優先して給紙段を決定することを示している。
【０１２８】
２３０２は現在設定されている部数を示している。２３０３は元の設定に戻すためのキーであり、この画面で設定したプリント設定を元文書の設定に戻すときに使用する。
【０１２９】
２３０４はプリント後に元文書を消去するかどうかの設定キーである。２３０５は用紙選択キーであり、給紙段をユーザの選択する給紙段で固定してプリントさせる場合に使用する。２３０６はソータキーであり、ステイプル、パンチ穴等のフィニッシング認定を行うためのキーである。
【０１３０】
２３０７は両面キーであり、両面設定を行うことができる。２３０８は、表紙／仕切紙キーであり、表紙、合紙、仕切紙の挿入設定を行うことができる。ここで言う仕切紙とは、図１８に示す画面で選択した複数文書を結合してプリントする場合に、各文書と文書の間に仕切紙を給紙するという機能である。もちろん、仕切紙に各文書の先頭ページを印刷させるかどうかを設定できるように構成してもかまわない。
【０１３１】
２３０９はページ印刷キーであり、ページ番号を自動的に印刷する機能を設定する場合に使用する。このキー２３０９を押下することで、操作画面の表示状態は、図２２に示す画面表示に遷移する。
【０１３２】
２３１０は文書結合設定キーであり、図１８に示した選択した文書を結合して、１文書としてプリント出力するかどうかを設定するキーである。このキーはトグルで動作しへ選択されているときは反転表示され、文書結合することを意味する。なお、図２１に示す画面例では反転していないため、文書結合しない設定となっている。
【０１３３】
２３１１は初期値に戻すキーであり、この画面で設定した項目をキャンセルし、この画面に遷移してきたときの状態に戻すときに押下する。２３１２はキャンセルキーであり、設定を無効にして図２０に示す画面に戻るときに押下する。２３１３はプリント開始キーであり、このキーを押下プリント開始キーすることでこの画面での設定を有効にし、プリントを開始する。
【０１３４】
図２２に示すページ印刷設定画面は、図２１に示したページ印刷キー２３０９を押下すると、図２２に示す画面表示に遷移する。この画面に遷移する。
【０１３５】
図２２において、２４０１はページ印刷基本設定キーであり、ページ印刷機能共通の設定項目を設定する場合にこのキーを押下すると、図示しない設定画面に遷移する。本実施形態において、ここで設定できる項目は、ページ番号を印刷する場所、合紙や仕切紙をページとしてカウントするかどうか、印刷フォントとフォントサイズ、印刷濃度などである。
【０１３６】
２４０２はページ印刷設定であり、章立て以外のページ印刷を行う場合に使用する。図示はしないが、設定できる項目は、ページの表記の仕方である。
【０１３７】
例えば、「−ページ番号−」、「ページ番号／全ページ数」などが選択できる。２４０３は章立てページ印刷設定キーであり、「章番号−ページ番号」といった形式でページ印刷する場合に使用する。
【０１３８】
本実施形態においては、図１８に示した画面で複数文書を選択している場合にのみ有効となる。この章立てページ印刷設定キー２４０３を押下することで、画面表示状態は、図２３に示す画面表示状態に遷移する。
【０１３９】
２４０４は設定取消キーであり、この画面での設定をクリアして前の画面に戻る場合に使用する。２４０５はＯＫキーであり、この画面での設定を有効にしてこの画面を抜ける場合に使用する。
【０１４０】
図２３に示す章立てページ印刷設定画面は、図２２に示した章立てページ印刷設定キー２４０３を押下すると表示される。
【０１４１】
図２３において、２５０１は開始章番号設定であり、印刷開始章番号を設定する。２５０２は章番号であり、現在設定している章番号が表示される。
【０１４２】
２５０３，２５０４はスクロールキーで、この章番号を設定変更可能である。２５０５は開始ページ番号設定であり、印刷開始ページ番号を設定する。２５０６はページ番号であり、現在設定しているページ番号が表示される。
【０１４３】
２５０７，２５０８はスクロールキーで、このページ番号を設定変更可能である。本実施形態において、例えば章番号２５０２を「２」とし、ページ番号２５０６を「３」としたとすると、最初のページは「２−３」から順にページ印刷され、次の文書の１ページ目は「３−１」となる。デフォルト値は章番号、ページ番号共に「１」である。
【０１４４】
この機能は、前に途中までプリントした続きの文書からプリントするとき、途中の番号から印刷したい場合などに使用する。
【０１４５】
２５０９は設定取消キーであり、この画面での設定をクリアして前の画面に戻る場合に使用する。２５１０はＯＫキーであり、この画面での設定を有効にしてこの画面を抜ける場合に使用する。
【０１４６】
図２４は、本発明に係る画像処理装置における第３のデータ処理手順の一例を示すフローチャートであり、結合プリント時の章立てページ印刷処理手順に対応する。なお、Ｓ１６０１〜Ｓ１６０８は各ステップを示し、該処理は、図２１に示した文書結合設定キー２３１０により結合プリントする設定でプリント開始キー１３１３が押下された状態でスタートする。
【０１４７】
まず、ステップＳ１６０１では、図２３に示した設定画面上で、設定した章立てページ印刷設定を読み出し、開始章番号と開始ページ番号等の章立てページ印刷情報を初期化設定し、ステップＳ１６０２に進み、図１８に示した操作画面で選択された順序で文書の情報を読み出す。
【０１４８】
そして、ステップＳ１６０３では、ステップＳ１６０２で読み出した文書情報から、その文書にリンクされているページ情報を１ページ読み出し、そのページ情報に対応する画像を読み出す。
【０１４９】
次に、ステップＳ１６０４では、読み出した画像に章番号とページ番号をマージし、プリンタ部１１０４でマージした画像をプリントアウトし、ステップＳ１６０５に進み、ページ番号をインクリメントする。
【０１５０】
そして、ステップＳｌ６０６では、ステップＳ１６０３で読み出したページがステップＳｌ６０２で読み出した文書の最終ページかどうかを判断し、最終ページだったと判断した場合にはステップＳ１６０７に進み、そうでないと判断した場合にはステップＳ１６０３に戻る。
【０１５１】
そして、ステップＳ１６０７では、章番号をインクリメントすると共にページ番号を「１」に初期化し、ステップＳ１６０８で、ステップＳ１６０２で読み出した文書がプリントする最終文書であるかどうかを判断し、最終文書だと判断した場合は処理を終了し、そうでないと判断した場合は、ステップＳ１６０２に戻る。
【０１５２】
これにより、ボックス機能を有するデジタル複写機において、複数の文書を結合してプリント出力する結合プリントと章立てページ印刷機能を組み合わせることにより、プリント時に文書単位で章番号を自動的にインクリメントすることで、章立てページ印刷機能の章変更位置を簡潔に指定することができるデジタル複写機を提供することができる。
【０１５３】
〔他の実施形態〕
なお、上記実施形態では、先頭ページを「１」とするようなページ付加制御を行う場合について説明したが、ユーザが先頭ページの番号を任意に指定可能とし、さらに、その任意ページから連番となるようなページ付加制御を行えるように制御してもよい。
【０１５４】
また、上記実施形態では、ユーザが指定する位置にページ番号を付与する場合について説明したが、プリンタエンジン等の制限により、有効印刷領域から外れてしまうような指定、あるいは余白領域にページ印刷指定がなされた場合には、警告してユーザによる再指定を催促したり、自動的にその領域を回避したりして、指定位置に近い位置にページ番号を付与できるように制御してもよい。
【０１５５】
さらに、上記実施形態では、出力すべき用紙サイズに対して同サイズの原稿画像を出力する場合に本発明を適用したが、複数の原稿画像の元サイズが異なる場合には、指定された出力サイズに対して所定の変倍処理を行った画像を出力できるように制御してもよい。
【０１５６】
また、上記実施形態では、出力すべきページに１つのページ番号を付与する場合について説明したが、複数の段構成をとるような文書画像の場合には、同時に複数のページ指定を可能として、その付与位置等を制御して自在に対応できるように構成してもよい。
【０１５７】
さらに、上記実施形態では、ページ番号が付与されたジョブを１つのプリントエンジン２０９等で一括出力する場合について説明したが、同等のプリント機能を有する画像処理装置と通信可能な場合には、連番が付与されているジョブをそれぞれの画像処理装置に割り当てて分割出力させる際に、付与したページ情報が反映されるイメージデータを転送したり、転送先で再度ページ情報を付与する制御を行う等の変形例も本発明の適用範囲である。
【０１５８】
以下、図２５に示すメモリマップを参照して本発明に係る画像処理装置で読み出し可能なデータ処理プログラムの構成について説明する。
【０１５９】
図２５は、本発明に係る画像処理装置で読み出し可能な各種データ処理プログラムを格納する記憶媒体のメモリマップを説明する図である。
【０１６０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６２】
本実施形態における図９，図１５，図２４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６４】
この場合、記憶媒体から読み出されたプログラムコード自体が本発明の新規な機能を実現することになり、そのプログラムコードを記憶した記憶媒体は本発明を構成することになる。
【０１６５】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
本発明は上記実施形態に限定されるものではなく、本発明の趣旨に基づき種々の変形（各実施形態の有機的な組合せを含む）が可能であり、それらを本発明の範囲から排除するものではない。
【０１６９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１８について説明する。
【０１７０】
〔実施態様１〕
原稿束中の各原稿画像を読み取る読み取り手段と、前記読み取り手段により読み取られるイメージ情報に対して画像処理を行う画像処理装置であって、前記読み取り手段により読み取られるイメージ情報中から前記原稿束に印刷されていたページ番号を消去する消去手段と、前記読み取り手段により読み取られる複数の原稿束の各原稿ページのイメージ情報に対して、１つのドキュメントとして整列化されたページ情報をイメージ合成する合成手段とを有することを特徴とする画像処理装置。
【０１７１】
〔実施態様２〕
前記消去手段が消去すべき画像領域を指定する第１の指定手段を備え、前記消去手段は、前記第１の指定手段により指定された画像領域のページ番号イメージを消去することを特徴とする画像処理装置。
【０１７２】
〔実施態様３〕
前記合成手段が合成すべきページ情報を付与すべき位置を指定する第２の指定手段を備え、前記合成手段は、前記第２の指定手段により指定された位置に基づいて、前記読み取り手段により読み取られる複数の原稿束の各原稿ページのイメージ情報に対して、１つのドキュメントとして整列化されたページ情報をイメージ合成することを特徴とする実施態様１記載の画像処理装置。
【０１７３】
〔実施態様４〕
前記読み取り手段により読み取られるイメージ情報中から前記原稿束に印刷されていたページ番号領域を検出する検出手段を備え、
前記合成手段は、前記検出手段により検出されたページ番号領域に基づいて、前記読み取り手段により読み取られる複数の原稿束の各原稿ページのイメージ情報に対して、１つのドキュメントとして整列化されたページ情報をイメージ合成することを特徴とする実施態様１記載の画像処理装置。
【０１７４】
〔実施態様５〕
前記第２の指定手段により指定されるページ位置指定と前記検出手段により検出されるページ番号領域によるページ位置指定とのいずれかを選択する選択手段を備え、前記合成手段は、前記選択手段により選択されたページ位置指定に基づいて、前記読み取り手段により読み取られる複数の原稿束の各原稿ページのイメージ情報に対して、１つのドキュメントとして整列化されたページ情報をイメージ合成することを特徴とする実施態様１記載の画像処理装置。
【０１７５】
〔実施態様６〕
原稿束中の各原稿画像を読み取る読み取り手段と、前記読み取り手段により読み取られるイメージ情報に対して画像処理を行う画像処理装置であって、前記読み取り手段により読み取られる複数ページからなるイメージ情報をジョブとして複数記憶可能な記憶手段と、前記記憶手段に記憶されるジョブを結合して１つのジョブとして出力する結合出力モードを設定する設定手段と、前記設定手段により前記結合出力モードが設定された場合に、前記記憶手段に記憶される複数のジョブ中から結合すべきジョブを選択する選択手段と、前記選択手段により選択されたジョブを印刷する際に出力すべき連番号を付与する番号付与手段と、前記選択手段により選択されたジョブ中の各ページに対して、前記番号付与手段により付与される連番号を付与して印刷部より印刷させる制御手段とを有することを特徴とする画像処理装置。
【０１７６】
〔実施態様７〕
原稿束中の各原稿画像を読み取る読み取り手段と、入力されるプリント情報からイメージ情報を生成する生成手段と、前記読み取り手段により読み取られるイメージ情報、あるいは前記生成手段により生成されるイメージ情報に対して画像処理を行う画像処理装置であって、前記読み取り手段により読み取られる複数ページからなるイメージ情報、あるいは生成手段により生成されるイメージ情報をジョブとして複数記憶可能な記憶手段と、前記記憶手段に記憶されるジョブを結合して１つのジョブとして出力する結合出力モードを設定する設定手段と、前記設定手段により前記結合出力モードが設定された場合に、前記記憶手段に記憶される複数のジョブ中から結合すべきジョブを選択する選択手段と、前記選択手段により選択されたジョブを印刷する際に出力すべき連番号を付与する番号付与手段と、前記選択手段により選択されたジョブ中の各ページに対して、前記番号付与手段により付与される連番号を付与して印刷部より印刷させる制御手段と、
を有することを特徴とする画像処理装置。
【０１７７】
〔実施態様８〕
前記選択手段によるジョブ選択順に従い、前記番号付与手段が付与すべき連番号の内容をジョブ毎に変更する番号変更手段を有することを特徴とする実施態様６または７記載の画像処理装置。
【０１７８】
〔実施態様９〕
原稿束中の各原稿画像を読み取る読み取り手段と、前記読み取り手段により読み取られるイメージ情報に対して画像処理を行う画像処理装置における画像処理方法であって、前記読み取り手段により読み取られるイメージ情報中から前記原稿束に印刷されていたページ番号を消去する消去ステップと、前記読み取り手段により読み取られる複数の原稿束の各原稿ページのイメージ情報に対して、１つのドキュメントとして整列化されたページ情報をイメージ合成する合成ステップとを有することを特徴とする画像処理方法。
【０１７９】
〔実施態様１０〕
前記消去ステップが消去すべき画像領域を指定する第１の指定ステップを備え、前記消去ステップは、前記第１の指定ステップにより指定された画像領域のページ番号イメージを消去することを特徴とする実施態様９記載の画像処理方法。
【０１８０】
〔実施態様１１〕
前記合成ステップが合成すべきページ情報を付与すべき位置を指定する第２の指定ステップを備え、前記合成ステップは、前記第２の指定ステップにより指定された位置に基づいて、前記読み取り手段により読み取られる複数の原稿束の各原稿ページのイメージ情報に対して、１つのドキュメントとして整列化されたページ情報をイメージ合成することを特徴とする実施態様９記載の画像処理方法。
【０１８１】
〔実施態様１２〕
前記読み取り手段により読み取られるイメージ情報中から前記原稿束に印刷されていたページ番号領域を検出する検出ステップを備え、前記合成ステップは、前記検出ステップにより検出されたページ番号領域に基づいて、前記読み取り手段により読み取られる複数の原稿束の各原稿ページのイメージ情報に対して、１つのドキュメントとして整列化されたページ情報をイメージ合成することを特徴とする実施態様９記載の画像処理方法。
【０１８２】
〔実施態様１３〕
前記第２の指定ステップにより指定されるページ位置指定と前記検出ステップにより検出されるページ番号領域によるページ位置指定とのいずれかを選択する選択ステップを備え、前記合成ステップは、前記選択ステップにより選択されたページ位置指定に基づいて、前記読み取り手段により読み取られる複数の原稿束の各原稿ページのイメージ情報に対して、１つのドキュメントとして整列化されたページ情報をイメージ合成することを特徴とする実施態様９記載の画像処理方法。
【０１８３】
〔実施態様１４〕
原稿束中の各原稿画像を読み取る読み取り手段と、前記読み取り手段により読み取られる複数ページからなるイメージ情報をジョブとして複数記憶可能な記憶手段と、前記記憶手段から読み出されるイメージ情報に対して画像処理を行う画像処理装置における画像処理方法であって、前記記憶手段に記憶されるジョブを結合して１つのジョブとして出力する結合出力モードを設定する設定ステップと、前記設定ステップにより前記結合出力モードが設定された場合に、前記記憶手段に記憶される複数のジョブ中から結合すべきジョブを選択する選択ステップと、前記選択ステップにより選択されたジョブを印刷する際に出力すべき連番号を付与する番号付与ステップと、前記選択ステップにより選択されたジョブ中の各ページに対して、前記番号付与ステップにより付与される連番号を付与して印刷部より印刷させる制御ステップとを有することを特徴とする画像処理方法。
【０１８４】
〔実施態様１５〕
原稿束中の各原稿画像を読み取る読み取り手段と、入力されるプリント情報からイメージ情報を生成する生成手段と、前記読み取り手段により読み取られる複数ページからなるイメージ情報、あるいは生成手段により生成されるイメージ情報をジョブとして複数記憶可能な記憶手段と、前記記憶手段に記憶されるイメージ情報に対して画像処理を行う画像処理装置における画像処理方法であって、前記記憶手段に記憶されるジョブを結合して１つのジョブとして出力する結合出力モードを設定する設定ステップと、前記設定ステップにより前記結合出力モードが設定された場合に、前記記憶手段に記憶される複数のジョブ中から結合すべきジョブを選択する選択ステップと、前記選択ステップにより選択されたジョブを印刷する際に出力すべき連番号を付与する番号付与ステップと、前記選択ステップにより選択されたジョブ中の各ページに対して、前記番号付与ステップにより付与される連番号を付与して印刷部より印刷させる制御ステップとを有することを特徴とする画像処理方法。
【０１８５】
〔実施態様１６〕
前記選択ステップによるジョブ選択順に従い、前記番号付与ステップが付与すべき連番号の内容をジョブ毎に変更する番号変更ステップを有することを特徴とする実施態様１４または１５記載の画像処理方法。
【０１８６】
〔実施態様１７〕
実施態様９〜１６のいずれかに記載の画像処理方法を実現するプログラムを記憶したことを特徴とするコンピュータが読み取り可能な記憶媒体。
【０１８７】
〔実施態様１８〕
実施態様９〜１６のいずれかに記載の画像処理方法を実現することを特徴とするプログラム。
【０１８８】
各実施態様によれば、読み取り手段により読み取られるイメージ情報に対して画像処理を行う画像処理装置において、読み取られるイメージ情報中から前記原稿束に印刷されていたページ番号を消去し、該読み取られる複数の原稿束の各原稿ページのイメージ情報に対して、１つのドキュメントとして整列化されたページ情報をイメージ合成することにより、原稿束から合成出力される合成ドキュメントに対してオリジナルのページ番号と新たなページ番号とが混在することなく、整列化されたページ番号を付与できるため、複数の原稿束から合成ドキュメントを作成する際に、合成ドキュメント中におけるページ番号の視認性を格段に向上できる。
【０１８９】
また、読み取り手段により読み取られるイメージ情報に対して画像処理を行う画像処理装置において、読み取られる複数ページからなるイメージ情報をジョブとして記憶手段に複数記憶可能しておき、該記憶されるジョブを結合して１つのジョブとして出力する結合出力モードを設定した場合に、記憶される複数のジョブ中から結合すべきジョブを選択させ、該選択されたジョブを印刷する際に出力すべき連番号を付与した後、選択されたジョブ中の各ページに対して、連番号を付与して印刷部より印刷させることにより、入力される複数の文書情報あるいは読み取られる文書情報と入力される文書情報等を結合して１つのドキュメントとして出力する際に、結合すべきジョブのページ情報に影響されることなく、出力順に従い一連に整列化された番号を付与できるため、合成ドキュメント中におけるページ番号の視認性を格段に向上できる。
【０１９０】
【発明の効果】
以上説明したように、本発明によれば、読み取り手段により読み取られるイメージ情報に対して画像処理を行う画像処理装置において、読み取られるイメージ情報中から前記原稿束に印刷されていたページ番号を消去し、該読み取られる複数の原稿束の各原稿ページのイメージ情報に対して、１つのドキュメントとして整列化されたページ情報をイメージ合成するので、原稿束から合成出力される合成ドキュメントに対してオリジナルのページ番号と新たなページ番号とが混在することなく、整列化されたページ番号を付与できるため、複数の原稿束から合成ドキュメントを作成する際に、合成ドキュメント中におけるページ番号の視認性を格段に向上できるという効果を奏する。
【図面の簡単な説明】
【図１】本発明を適用可能な画像処理装置の一例を示す外観図である。
【図２】本発明の第１実施形態を示す画像処理装置の制御構成を説明するブロック図である。
【図３】図２に示した操作部に表示される第１のナンバリング設定画面の一例を示す図である。
【図４】図２に示した操作部に表示される第２のナンバリング設定画面の一例を示す図である。
【図５】本発明に係る画像処理装置における第１のナンバリング処理状態を説明する模式図である。
【図６】本発明に係る画像処理装置における第２のナンバリング処理状態を説明する模式図である。
【図７】本発明に係る画像処理装置における第３のナンバリング処理状態を説明する模式図である。
【図８】本発明に係る画像処理装置における第４のナンバリング処理状態を説明する模式図である。
【図９】本発明に係る画像処理装置における第１のデータ処理手順の一例を示すフローチャートである。
【図１０】本発明の第２実施形態を示す画像処理装置の一例を示す断面図である。
【図１１】図１０に示した画像処理装置のシステム構成を説明するブロック図である。
【図１２】図１１に示したデジタル複写機の操作部のキー配列例を示す平面図である。
【図１３】図１２に示した操作パネルのコピー標準画面を示す図である。
【図１４】図１１に示した画像メモリの論理的な使用方法を説明する図である。
【図１５】本発明に係る画像処理装置における第２のデータ処理手順の一例を示すフローチャートである。
【図１６】図１３に示したＬＣＤタッチパネルに表示される操作画面例を示す図である。
【図１７】図１３に示したＬＣＤタッチパネルに表示される操作画面例を示す図である。
【図１８】図１３に示したＬＣＤタッチパネルに表示される操作画面例を示す図である。
【図１９】本発明に係る画像処理装置における文書結合プリント結果状態を示す図である。
【図２０】図１３に示したＬＣＤタッチパネルに表示される操作画面例を示す図である。
【図２１】図１３に示したＬＣＤタッチパネルに表示される操作画面例を示す図である。
【図２２】図１３に示したＬＣＤタッチパネルに表示される操作画面例を示す図である。
【図２３】図１３に示したＬＣＤタッチパネルに表示される操作画面例を示す図である。
【図２４】本発明に係る画像処理装置における第３のデータ処理手順の一例を示すフローチャートである。
【図２５】本発明に係る画像処理装置で読み出し可能な各種データ処理プログラムを格納する記憶媒体のメモリマップを説明する図である。
【符号の説明】
２０１　システムバス
２０２　操作部
２０３　一次記憶装置
２０４　二次記憶装置
２０５　ネットワークアダプタ
２０６　プロトコル解析部
２０７　ＰＤＬ解釈部
２０８　プリンタエンジンコントローラ
２０９　プリントエンジン
２１０　スキャンエンジンコントローラ
２１１　スキャンエンジン
２１２　課金管理部
２１３　メインコントローラ
２１４　ナンバリング制御部
【図１】
2004135207.tif 000003
【図２】
2004135207.tif 000004
【図３】
2004135207.tif 000005
【図４】
2004135207.tif 000006
【図５】
2004135207.tif 000007
【図６】
2004135207.tif 000008
【図７】
2004135207.tif 000009
【図８】
2004135207.tif 000010
【図９】
2004135207.tif 000011
【図１０】
2004135207.tif 000012
【図１１】
2004135207.tif 000013
【図１２】
2004135207.tif 000014
【図１３】
2004135207.tif 000015
【図１４】
2004135207.tif 000016
【図１５】
2004135207.tif 000017
【図１６】
2004135207.tif 000018
【図１７】
2004135207.tif 000019
【図１８】
2004135207.tif 000020
【図１９】
2004135207.tif 000021
【図２０】
2004135207.tif 000022
【図２１】
2004135207.tif 000023
【図２２】
2004135207.tif 000024
【図２３】
2004135207.tif 000025
【図２４】
2004135207.tif 000026
【図２５】
2004135207.tif 000027